【手続補正書】
【提出日】平成20年1月31日(2008.1.31)
【手続補正１】
【補正対象書類名】明細書
【補正対象項目名】発明の名称
【補正方法】変更
【補正の内容】
【発明の名称】放送受信装置及びその制御方法
【手続補正２】
【補正対象書類名】明細書
【補正対象項目名】特許請求の範囲
【補正方法】変更
【補正の内容】
【特許請求の範囲】
【請求項１】  放送信号を受信し、放送信号に含まれる番組情報を抽出して蓄積する蓄積部を有する放送受信装置であって、
番組を視聴するユーザの嗜好情報に基づいて、前記蓄積部に蓄積された番組情報から、ユーザの嗜好にあった番組を抽出する抽出手段と、
前記抽出手段で抽出された番組がユーザにとってリアルタイムで視聴するのが好適か否かをユーザの視聴履歴情報を用いて判定する判定手段と、
前記判定手段での判定の結果、前記番組がリアルタイムで視聴するのが好適な番組である場合に、当該番組の放送前に、通信可能な外部装置に番組の存在を通知するための予告情報を送信する送信手段とを有することを特徴とする放送受信装置。
【請求項２】  前記抽出手段で抽出した番組を提示するための設定要求、または前記送信手段を用いて前記外部装置に番組の存在を通知する予告情報を送信するための設定要求を識別し、識別の結果に応じて、前記抽出手段で抽出された番組に対する前記判定手段の処理を実行するか否かを決定する処理手段を更に有することを特徴とする請求項１に記載の放送受信装置。
【請求項３】  前記送信手段が情報を送信する前記外部装置の情報と、前記予告情報を送信するタイミングに関する情報の設定入力を受け付ける設定手段を更に有し、
前記送信手段は、前記設定手段で受け付けた情報に従って、前記番組の存在を通知する情報を送信することを特徴とする請求項１に記載の放送受信装置。
【請求項４】  前記外部装置が存在する位置を検出する検出手段を更に有し、
前記送信手段は前記検出手段による外部装置の位置に応じて、前記設定手段で受け付けた前記予告情報を送信するタイミングを変更することを特徴とする請求項３に記載の放送受信装置。
【請求項５】  放送信号を受信し、放送信号に含まれる番組情報を抽出して蓄積する蓄積部を有する放送受信装置の制御方法であって、
番組を視聴するユーザの嗜好情報に基づいて、前記蓄積部に蓄積された番組情報から、ユーザの嗜好にあった番組を抽出する抽出ステップと、
前記抽出ステップで抽出された番組がユーザにとってリアルタイムで視聴するのが好適か否かをユーザの視聴履歴情報を用いて判定する判定ステップと、
前記判定ステップでの判定の結果、前記番組がリアルタイムで視聴するのが好適な番組である場合に、当該番組の放送前に、通信可能な外部装置に番組の存在を通知するための予告情報を送信する送信ステップとを含むことを特徴とする放送受信装置の制御方法。
【請求項６】  前記抽出ステップで抽出した番組を提示するための設定要求、または前記送信ステップを用いて前記外部装置に番組の存在を通知する予告情報を送信するための設定要求を識別し、識別の結果に応じて、前記抽出ステップで抽出された番組に対する前記判定ステップの処理を実行するか否かを決定する処理ステップを更に含むことを特徴とする請求項５に記載の放送受信装置の制御方法。
【請求項７】  前記送信ステップが情報を送信する前記外部装置の情報と、前記予告情報を送信するタイミングに関する情報の設定入力を受け付ける設定ステップを更に含み、
前記送信ステップは、前記設定ステップで受け付けた情報に従って、前記番組の存在を通知する情報を送信することを特徴とする請求項５に記載の放送受信装置の制御方法。
【請求項８】  前記外部装置が存在する位置を検出する検出ステップを更に含み、
前記送信ステップは、前記検出ステップによる外部装置の位置に応じて、前記設定ステップで受け付けた前記予告情報を送信するタイミングを変更することを特徴とする請求項７に記載の放送受信装置の制御方法。
【手続補正３】
【補正対象書類名】明細書
【補正対象項目名】０００１
【補正方法】変更
【補正の内容】
【０００１】
【発明の属する技術分野】
本発明は、特に番組サービス情報を蓄積し、ユーザの視聴履歴情報や嗜好情報を基に検索を行い、ユーザにお薦め番組を提供するエージェント機能を持つ技術に関するものである。
【手続補正４】
【補正対象書類名】明細書
【補正対象項目名】０００７
【補正方法】変更
【補正の内容】
【０００７】
そこで、本発明の目的は、当該エージェント機能がユーザに対するお好み番組の検索を行う際、特に、リアルタイムで視聴する事が好ましい番組を抽出する手段を設け、当該番組が始まる一定の時間の前にＤＴＶ装置の通信手段を用いてユーザに通知することで、ユーザに確実にリアルタイムで視聴出来る機会を与えることにある。
【手続補正５】
【補正対象書類名】明細書
【補正対象項目名】０００８
【補正方法】変更
【補正の内容】
【０００８】
【課題を解決するための手段】
本発明の放送受信装置は、放送信号を受信し、放送信号に含まれる番組情報を抽出して蓄積する蓄積部を有する放送受信装置であって、番組を視聴するユーザの嗜好情報に基づいて、前記蓄積部に蓄積された番組情報から、ユーザの嗜好にあった番組を抽出する抽出手段と、前記抽出手段で抽出された番組がユーザにとってリアルタイムで視聴するのが好適か否かをユーザの視聴履歴情報を用いて判定する判定手段と、前記判定手段での判定の結果、前記番組がリアルタイムで視聴するのが好適な番組である場合に、当該番組の放送前に、通信可能な外部装置に番組の存在を通知するための予告情報を送信する送信手段とを有することを特徴とする。
本発明の放送受信装置の制御方法は、放送信号を受信し、放送信号に含まれる番組情報を抽出して蓄積する蓄積部を有する放送受信装置の制御方法であって、番組を視聴するユーザの嗜好情報に基づいて、前記蓄積部に蓄積された番組情報から、ユーザの嗜好にあった番組を抽出する抽出ステップと、前記抽出ステップで抽出された番組がユーザにとってリアルタイムで視聴するのが好適か否かをユーザの視聴履歴情報を用いて判定する判定ステップと、前記判定ステップでの判定の結果、前記番組がリアルタイムで視聴するのが好適な番組である場合に、当該番組の放送前に、通信可能な外部装置に番組の存在を通知するための予告情報を送信する送信ステップとを含むことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００７０
【補正方法】変更
【補正の内容】
【００７０】
【発明の効果】
本発明によれば、ユーザにとってリアルタイムで視聴するのが好適な番組の放送前に、通信可能な外部装置に当該番組の存在を通知するようにしたので、ユーザに対する当該番組の予告通知によって、ユーザが確実にリアルタイムな視聴を可能とすることができる。